(57)【特許請求の範囲】
【請求項１】
セル間干渉協調方法において、
第１の基地局は、第１のサブキャリア資源ブロックが上り方向において受けるＩＯＴ（Interference  over  thermal  noise）を測定し、ＩＯＴ測定値を取得し、
前記ＩＯＴ測定値が第１の所定閾値より大きくなると、前記第１の基地局は、前記第１の基地局に近接する、第２の基地局のセルエッジにおいて前記第１のサブキャリア資源ブロックにスケジューリングされたユーザがあることを指示するための第１の高干渉指示メッセージを第２の基地局から受信したか否かを判断し、
前記第１の高干渉指示メッセージを受信すると、前記第１の基地局は、前記第１の高干渉指示メッセージを送信した前記第２の基地局にオーバーロード指示メッセージを送信するか、前記第１のサブキャリア資源ブロックを遮断し、
前記第１の高干渉指示メッセージの受信が無かった場合、前記第１の基地局は、すべての隣接セルが所属する基地局にオーバーロード指示メッセージを送信し、
前記第１の高干渉指示メッセージを受信すると、前記第１の高干渉指示メッセージを送信した前記第２の基地局にオーバーロード指示メッセージを送信するか、前記第１のサブキャリア資源ブロックを遮断することは、具体的に、
受信した前記第１の高干渉指示メッセージの数が第２の所定閾値以下の場合、前記第１の基地局は、前記第１の高干渉指示メッセージを送信した前記第２の基地局にオーバーロード指示メッセージを送信し、
受信した前記第１の高干渉指示メッセージの数が第２の所定閾値より大きくなる場合、前記第１の基地局は、前記第１のサブキャリア資源ブロックを遮断することを特徴とするセル間干渉協調方法。
【請求項２】
第３の基地局に近接するセルエッジにおいて第２のサブキャリア資源ブロックにスケジューリングされたユーザがある場合、第１の基地局は、前記第３の基地局に近接するセルエッジにおいて第２のサブキャリア資源ブロックにスケジューリングされたユーザがあることを指示するための第２の高干渉指示メッセージを前記第３の基地局に送信することを特徴とする請求項１に記載のセル間干渉協調方法。
【請求項３】
他の基地局からのオーバーロード指示メッセージを受信すると、第２の基地局は、セル内のユーザが原因で隣接セルの干渉が過大になったか否かを判断し、過大になったと判断した場合、隣接セルの干渉が過大になった原因となるユーザの送信電力を低下させるか、隣接セルの干渉が過大になった原因となるユーザのサブキャリア資源ブロックを変更することを特徴とする請求項１に記載のセル間干渉協調方法。
【請求項４】
第１の基地局において、測定モジュールと判断モジュールと第１の協調モジュールと第２の協調モジュールとを含み、
測定モジュールは、第１のサブキャリア資源ブロックが上り方向において受けるＩＯＴを測定し、ＩＯＴ測定値を取得し、
判断モジュールは、前記ＩＯＴ測定値が第１の所定閾値より大きくなると、前記第１の基地局に近接する、第２の基地局のセルエッジにおいて前記第１のサブキャリア資源ブロックにスケジューリングされたユーザがあることを指示するための第１の高干渉指示メッセージを第２の基地局から受信したか否かを判断し、
第１の協調モジュールは、前記第１の高干渉指示メッセージの受信があった場合、前記第１の高干渉指示メッセージを送信した前記第２の基地局にオーバーロード指示メッセージを送信するか、前記第１のサブキャリア資源ブロックを遮断し、
第２の協調モジュールは、前記第１の高干渉指示メッセージの受信が無かった場合、すべての隣接セルが所属する基地局にオーバーロード指示メッセージを送信し、
前記第１の協調モジュールにおいて、
受信した前記第１の高干渉指示メッセージの数が第２の所定閾値以下の場合、前記第１の高干渉指示メッセージを送信した前記第２の基地局にオーバーロード指示メッセージを送信する第１のメッセージ送信モジュールと、
受信した前記第１の高干渉指示メッセージの数が第２の所定閾値より大きくなる場合、前記第１のサブキャリア資源ブロックを遮断する遮断モジュールと、を含むことを特徴とする基地局。
【請求項５】
第３の基地局に近接するセルエッジにおいて第２のサブキャリア資源ブロックにスケジューリングされたユーザがある場合、前記第３の基地局に近接するセルエッジにおいて第２のサブキャリア資源ブロックにスケジューリングされたユーザがあることを指示するための第２の高干渉指示メッセージを前記第３の基地局に送信する第２のメッセージ送信モジュールを更に含むことを特徴とする請求項４に記載の基地局。
【請求項６】
オーバーロード指示メッセージの受信があった場合、隣接セルの干渉が過大になった原因となるセル内ユーザの送信電力を低下させるか、隣接セルの干渉が過大になった原因となるユーザのサブキャリア資源ブロックを変更する干渉除去モジュールを更に含むことを特徴とする請求項４に記載の基地局。
【発明の詳細な説明】
【技術分野】
【０００１】
本発明は、移動通信システムに関し、特に、セル間干渉協調方法及び基地局に関する。
【背景技術】
【０００２】
将来の無線通信システムにおいて、スペクトル効率向上のために、ＯＦＤＭＡ（Orthogonal  Frequency  Division  Multiple  Access）又はシングルキャリア（Single  carrier）技術はマルチアクセス方式として採用されることとなる。上りリンクにおいて、これらの技術が応用されることにより、上り方向のセル間干渉に、非ホワイトノイズであって、資源の割当てやユーザスケジューリングに伴い変動するという特徴を持たせる。従って、上記システムにおいて、セル間干渉による影響を小さくするために、隣接セル間で資源の割当てとユーザスケジューリングを協調して行なうことが要求される。
【０００３】
そのため、ＬＴＥ（Long  Term  Evolution）基準化プロセスでは、隣接セル間の干渉情報を互いに交換してセル間の資源割当てとユーザスケジューリングを補助するために、Ｘ２インタフェース上におけるＯＩ（オーバーロード指示、Overload  Indication）メッセージが定義されている。
【０００４】
ＯＩメッセージに基づく干渉制御は、事後処理メカニズムであり、その処理プロセスは、図１に示すように、下記のステップを含む。
【０００５】
ステップ１１において、第１の基地局は、上り方向において他の干渉セルからのＩＯＴ（Interference  over  thermal  noise）を測定する。
【０００６】
ステップ１２において、第１の基地局は、ＩＯＴ測定値が所定の閾値より大きいか否かを判断する。大きいと判断した場合、ステップ１３へ進むが、逆の場合、ステップ１１に戻る。
【０００７】
ステップ１３において、第１の基地局は、隣接セルが所属する第２の基地局にオーバーロード指示メッセージをＸ２インタフェースを介して送信する。
【０００８】
ステップ１４において、ＯＩメッセージを受信した第２の基地局は、第２の基地局のセル内のユーザが隣接セル干渉過大になった主要要素であるか否かを判断する。主要要素であると判断した場合、ステップ１５へ進むが、逆の場合、処理は行なわれない（処理されない部分は、図１には図示されていない）。
【０００９】
ステップ１５において、第２の基地局は、隣接セル干渉過大になった原因となる第２の基地局のセル内ユーザの送信電力を低下させるか、該ユーザを他のサブキャリアにスケジューリングする。
【００１０】
ＯＩメッセージは、各サブキャリアブロック上の干渉状況に応じて、２ビットで三つのレベルによって示される。
【００１１】
隣接セル間において、ＯＩメッセージを介して干渉及びユーザスケジューリングなどの情報を互いに交換することにより、隣接セル間の相互間干渉を軽減することができる。しかし、発明者が本発明の実施例を実現するプロセスにおいて、従来技術には少なくとも下記の不備が存在することが分かった。
【００１２】
ＯＩメッセージに基づく干渉制御方法は、オーバーヘッドが非常に大きい。第１の基地局のセルへの干渉が所定の閾値を超えるようなユーザは、第１の基地局のセルに隣接するセルのうちの任意のセルである可能性があるので、干渉の元を確認するために、ＯＩメッセージはすべての隣接セルに送信されなければならない。
【００１３】
帯域幅が１０ＭＨｚ、サブキャリア資源ブロックが５０個である場合、第１の基地局は、隣接する六個のセルに計６００ビット（５０×２×６）のＯＩメッセージオーバーヘッドを送信する必要があり、つまり、いずれか一つのサブキャリア資源ブロックに対して、１２ビットのメッセージオーバーヘッドが必要とする。
【発明の概要】
【発明が解決しようとする課題】
【００１４】
本発明の目的は、セル間干渉協調方法及び基地局を提供し、セル間干渉協調性能を保証する前提において、Ｘ２インタフェース上に必要されるオーバーヘッドを軽減することである。
【課題を解決するための手段】
【００１５】
上記目的を実現するために、本発明の実施例が提供するセル間干渉協調方法において、
第１の基地局は、第１のサブキャリア資源ブロックが上り方向において受けるＩＯＴを測定し、ＩＯＴ測定値を取得し、
前記ＩＯＴ測定値が第１の所定閾値より大きくなると、前記第１の基地局は、前記第１の基地局に近接する、前記第２の基地局のセルエッジにおいて前記第１のサブキャリア資源ブロックにスケジューリングされたユーザがあることを指示するための第１の高干渉指示メッセージを第２の基地局から受信したか否かを判断し、
前記第１の高干渉指示メッセージを受信すると、前記第１の基地局は、前記第１の高干渉指示メッセージを送信した前記第２の基地局にオーバーロード指示メッセージを送信するか、前記第１のサブキャリア資源ブロックを遮断し、
前記第１の高干渉指示メッセージの受信が無かった場合、前記第１の基地局は、すべての隣接セルが所属する基地局にオーバーロード指示メッセージを送信する。
【００１６】
上記方法において、前記第１の高干渉指示メッセージを受信すると、前記第１の高干渉指示メッセージを送信した前記第２の基地局にオーバーロード指示メッセージを送信するか、前記第１のサブキャリア資源ブロックを遮断することは、具体的に、
受信した前記第１の高干渉指示メッセージの数が第２の所定閾値以下の場合、前記第１の基地局は、前記第１の高干渉指示メッセージを送信した前記第２の基地局にオーバーロード指示メッセージを送信し、
受信した前記第１の高干渉指示メッセージの数が第２の所定閾値より大きくなる場合、前記第１の基地局は、前記第１のサブキャリア資源ブロックを遮断する。
【００１７】
上記方法において、第３の基地局に近接するセルエッジにおいて第２のサブキャリア資源ブロックにスケジューリングされたユーザがある場合、第１の基地局は、前記第３の基地局に近接するセルエッジにおいて第２のサブキャリア資源ブロックにスケジューリングされたユーザがあることを指示するための第２の高干渉指示メッセージを前記第３の基地局に送信する。
【００１８】
上記方法において、他の基地局からのオーバーロード指示メッセージを受信すると、第２の基地局は、セル内のユーザが原因で隣接セルの干渉が過大になったか否かを判断し、過大になったと判断した場合、隣接セルの干渉が過大になった原因となるユーザの送信電力を低下させるか、隣接セルの干渉が過大になった原因となるユーザのサブキャリア資源ブロックを変更する。
【００１９】
上記目的を実現するために、本発明の実施例が提供する基地局において、測定モジュールと判断モジュールと第１の協調モジュールと第２の協調モジュールとを含み、
測定モジュールは、第１のサブキャリア資源ブロックが上り方向において受けるＩＯＴを測定し、ＩＯＴ測定値を取得し、
判断モジュールは、前記ＩＯＴ測定値が第１の所定閾値より大きくなると、前記第１の基地局に近接する、前記第２の基地局のセルエッジにおいて前記第１のサブキャリア資源ブロックにスケジューリングされたユーザがあることを指示するための第１の高干渉指示メッセージを第２の基地局から受信したか否かを判断し、
第１の協調モジュールは、前記第１の高干渉指示メッセージの受信があった場合、前記第１の高干渉指示メッセージを送信した前記第２の基地局にオーバーロード指示メッセージを送信するか、前記第１のサブキャリア資源ブロックを遮断し、
第２の協調モジュールは、前記第１の高干渉指示メッセージの受信が無かった場合、すべての隣接セルが所属する基地局にオーバーロード指示メッセージを送信する。
【００２０】
上記基地局において、前記第１の協調モジュールにおいて、
受信した前記第１の高干渉指示メッセージの数が第２の所定閾値以下の場合、前記第１の高干渉指示メッセージを送信した前記第２の基地局にオーバーロード指示メッセージを送信する第１のメッセージ送信モジュールと、
受信した前記第１の高干渉指示メッセージの数が第２の所定閾値より大きくなる場合、前記第１のサブキャリア資源ブロックを遮断する遮断モジュールと、を含む。
【００２１】
上記基地局において、第３の基地局に近接するセルエッジにおいて第２のサブキャリア資源ブロックにスケジューリングされたユーザがある場合、前記第３の基地局に近接するセルエッジにおいて第２のサブキャリア資源ブロックにスケジューリングされたユーザがあることを指示するための第２の高干渉指示メッセージを前記第３の基地局に送信する第２のメッセージ送信モジュールを更に含む。
【００２２】
上記基地局において、オーバーロード指示メッセージの受信があった場合、隣接セルの干渉が過大になった原因となるセル内ユーザの送信電力を低下させるか、隣接セルの干渉が過大になった原因となるユーザのサブキャリア資源ブロックを変更する干渉除去モジュールを更に含む。
【発明の効果】
【００２３】
本発明の実施例によれば、下記の有益な効果を奏することができる。
【００２４】
本発明の具体的な実施例において、他のセルは、自セルエッジ上のユーザが第１のサブキャリア資源ブロックにスケジューリングされたことがわかると、該セルエッジ上のユーザに近接する隣接セルが所属する基地局にＨＩＩメッセージをＸ２インタフェースを介して送信して、それにより他の基地局は、目的性を持ってＯＩメッセージを送信するか、資源のスケジューリング処理を行なう。また、ＩＯＴ測定値が閾値を超えたことがわかる基地局は、選択的にＯＩメッセージを送信するか、ひいてはＯＩメッセージの送信をしない。すべての隣接セルにＯＩメッセージを送信するような従来技術に比較して、Ｘ２インタフェース上のオーバーヘッドが大幅に軽減された。
【図面の簡単な説明】
【００２５】
【図１】図１は、オーバーロードメッセージに基づく干渉制御のフロー図である。
【図２】図２は、本発明の実施例によるセル間干渉協調方法のフロー図である。
【図３】図３は、本発明の実施例による基地局の構造図である。
【図４】図４は、本発明実施例の方法による、Ｘ２インタフェース上におけるオーバーヘッドのシミュレーション結果を示す図面である。
【発明を実施するための形態】
【００２６】
本発明の具体的な実施例によるセル間干渉協調方法及び基地局において、セルエッジ上のユーザが第１のサブキャリア資源ブロックにスケジューリングされると、第１の基地局は、該セルの境界に近接する隣接セルが所属する第２の基地局にＨＩＩメッセージをＸ２インタフェースを介して送信する。また、第１の基地局は、上り方向において他の干渉セルからのＩＯＴ測定値が所定の閾値より大きいと測定すると、ＨＩＩメッセージの受信状況を判断することによりＯＩメッセージの送信方式を決定し、セル間干渉協調性能を保証する前提において、Ｘ２インタフェース上に必要されるオーバーヘッドを低減させる。
【００２７】
本発明の第１の実施例によるセル間干渉協調方法は、図２に示すように、下記のステップを含む。
【００２８】
ステップ２１において、第１の基地局は、第１のサブキャリア資源ブロックが上り方向において受けるＩＯＴを測定して、ＩＯＴ測定値を取得する。
【００２９】
ステップ２２において、第１の基地局は、ＩＯＴ測定値が第１の所定閾値より大きいか否かを判断する。大きいと判断した場合、ステップ２３へ進むが、逆の場合、ステップ２１に戻る。
【００３０】
ステップ２３において、第１の基地局は、第２の基地局からのＨＩＩメッセージを受信したか否かを判断する。上記ＨＩＩメッセージは、上記第１の基地局に近接する、上記第２の基地局のセルエッジにおけるユーザが上記第１のサブキャリア資源ブロックにスケジューリングされたことを指示するためのものである。受信したと判断する場合、ステップ２４へ進むが、逆の場合、ステップ２５へ進む。
【００３１】
ステップ２４において、第１の基地局は、上記ＨＩＩメッセージを送信した上記第２の基地局にＯＩメッセージを送信するか、上記第１のサブキャリア資源ブロックを遮断する。
【００３２】
ステップ２５において、第１の基地局は、すべての隣接セルが所属する基地局にＯＩメッセージを送信する。
【００３３】
本発明の具体的な実施例において、他のセルは、自セルエッジ上のユーザが第１のサブキャリア資源ブロックにスケジューリングされたことがわかると、該セルエッジ上のユーザに近接する隣接セルが所属する基地局にＨＩＩメッセージをＸ２インタフェースを介して送信して、それにより他の基地局は、目的性を持ってＯＩメッセージを送信するか、資源のスケジューリング処理を行なう。また、ＩＯＴ測定値が閾値を超えたことがわかる基地局は、選択的にＯＩメッセージを送信するか、ひいてはＯＩメッセージの送信をしない。すべての隣接セルにＯＩメッセージを送信するような従来技術に比較して、Ｘ２インタフェース上のオーバーヘッドが大幅に軽減された。
【００３４】
上述のように、各サブキャリア資源ブロックにとって、ＨＩＩメッセージは、サブキャリア資源ブロックにスケジューリングされたセルエッジユーザがあるか否かを表すには、１ビットしか必要しない。且つ、セルエッジユーザがサブキャリア資源ブロックにスケジューリングされた場合においてのみ、ＨＩＩメッセージの送信を行なう。従って、ＨＩＩメッセージ送信によるオーバーヘッドは、非常に少ない。
【００３５】
また、ＩＯＴ測定値が閾値を超えたことがわかる基地局は、ＨＩＩメッセージを送信した基地局にのみＯＩメッセージを送信するか、ひいてはＯＩメッセージの送信をしない。すべての隣接セルにＯＩメッセージを送信するような従来技術に比較して、Ｘ２インタフェース上のオーバーヘッドが大幅に軽減され、低減幅が５０％を超えた。
【００３６】
更に、セル間干渉が主にセルエッジユーザによりもたらされたものであるため、セルエッジ上のユーザが任意のサブキャリア資源ブロックにスケジューリングされたようなことがあれば、基地局はＨＩＩメッセージを介して通知を行なう。ＨＩＩメッセージを送信した基地局も、ＩＯＴ測定値が閾値を超えたような基地局からのＯＩメッセージを受信するため、本発明の実施例による方法でセル間干渉が大幅に軽減することができる。
【００３７】
もちろん、第２の基地局は、下記の処理をする必要もある。
【００３８】
第３の基地局に近接するセルエッジにおいて第２のサブキャリア資源ブロックにスケジューリングされたユーザがある場合、第２の基地局は、第２の高干渉指示メッセージを上記第３の基地局に送信し、上記第３の基地局に近接するセルエッジにおいて第２のサブキャリア資源ブロックにスケジューリングされたユーザがあることを指示する。
【００３９】
更に、下記の処理をすることもある。
【００４０】
ＯＩメッセージを受信すると、第２の基地局は、第２の基地局のセル内のユーザが原因で隣接セルの干渉が過大になったか否かを判断する。過大になったと判断した場合、隣接セルの干渉が過大になった原因となる第２の基地局のセル内のユーザの送信電力を低下させるか、隣接セルの干渉が過大になった原因となるユーザのサブキャリア資源ブロックを変更する。
【００４１】
本発明の第１の実施例による基地局は、図３に示すように、測定モジュールと第１の判断モジュールと第２の判断モジュールと第１の協調モジュールと第２の協調モジュールとを含む。
【００４２】
測定モジュールは、第１のサブキャリア資源ブロックが上り方向において受けるＩＯＴを測定し、ＩＯＴ測定値を取得する。
【００４３】
第１の判断モジュールは、ＩＯＴ測定値が第１の所定閾値より大きいか否かを判断し、第１の判断結果を取得する。
【００４４】
第２の判断モジュールは、ＩＯＴ測定値が第１の所定閾値より大きいことを上記第１の判断結果により指示されると、第２の基地局からのＨＩＩメッセージを受信したか否かを判断して第２の判断結果を取得する。ＨＩＩメッセージは、上記第１の基地局に近接する、上記第２の基地局のセルエッジにおいて、上記第１のサブキャリア資源ブロックにスケジューリングされたユーザがあることを指示するためのものである。
【００４５】
第１の協調モジュールは、上記ＨＩＩメッセージの受信があったことを上記第２の判断結果により指示されると、上記ＨＩＩメッセージを送信した上記第２の基地局にＯＩメッセージを送信するか、上記第１のサブキャリア資源ブロックを遮断する。
【００４６】
第２の協調モジュールは、上記ＨＩＩメッセージの受信が無かったことを上記第２の判断結果により指示されると、すべての隣接セルが所属する基地局にＯＩメッセージを送信する。
【００４７】
本発明の第１の実施例において、上記ＨＩＩメッセージの受信があったことを上記第２の判断結果により指示されると、上記ＨＩＩメッセージを送信した上記第２の基地局にＯＩメッセージを送信するか、上記第１のサブキャリア資源ブロックを遮断することにより、いずれもセル間干渉を低下することができる。詳しくは下記のように説明する。
【００４８】
上記ＨＩＩメッセージを送信した上記第２の基地局にＯＩメッセージを送信する場合、第２の基地局はＯＩメッセージを受信した後に、第２の基地局のセル内のユーザが隣接セル干渉過大になった主要要素であるか否かを判断する。主要要素であると判断した場合、ユーザの送信電力を低下させるか、ユーザを他のサブキャリア資源ブロックにスケジューリングするように処理をする。従って、干渉を低減できる。また、上記第１のサブキャリア資源ブロックを直接遮断する場合、該第１のサブキャリア資源ブロックが任意のユーザにスケジューリングされることはないので、干渉が除去された。
【００４９】
しかし、総合的に考慮すると、所定数を超えた基地局（例えば５）が第１の基地局にＨＩＩメッセージを送信した場合、ＨＩＩメッセージを送信したすべての基地局にＯＩメッセージを送信すれば、すべての基地局において判断プロセスが行なわれることになるので、第１の基地局により第１のサブキャリア資源ブロックを直接遮断すると、プロセスが軽減され、影響を受ける基地局も少なくなる。従って、第１の実施例において、第１の強調モジュールには、具体的に数判断手段と第１のメッセージ送信モジュールと遮断モジュールとを含む。
【００５０】
数判断手段は、上記ＨＩＩメッセージを受信したことを上記第２の判断結果により指示されると、受信した上記ＨＩＩメッセージの数が第２の所定閾値より大きいか否かを判断して、第３の判断結果を取得する。
【００５１】
第１のメッセージ送信モジュールは、受信した上記ＨＩＩメッセージの数が上記第２の所定閾値以下であると第３の判断結果により指示されると、上記ＨＩＩメッセージを送信した上記第２の基地局にＯＩメッセージを送信する。
【００５２】
遮断モジュールは、受信した上記ＨＩＩメッセージの数が上記第２の所定閾値より大きいと第３の判断結果により指示されると、上記第１のサブキャリア資源ブロックを遮断する。
【００５３】
該第１の所定閾値は、必要に応じて設定可能なものであり、例えば１、２、３、４のように設定できるが、中間値３を採ることが好ましい。
【００５４】
もちろん、双方向で互いに交換する主体として、該基地局がさらに第２のメッセージ送信モジュールと干渉除去モジュールとを含む。
【００５５】
第２のメッセージ送信モジュールは、第３の基地局に近接するセルエッジにおいて第２のサブキャリア資源ブロックにスケジューリングされたユーザがある場合、セルエッジ上のユーザが上記第２のサブキャリア資源ブロックにスケジューリングされたことを指示するためのＨＩＩメッセージを第３の基地局に送信する。
【００５６】
干渉除去モジュールは、ＯＩメッセージの受信があった場合、隣接セルの干渉が過大になった原因となるセル内ユーザの送信電力を低下させるか、隣接セルの干渉が過大になった原因となるユーザのサブキャリア資源ブロックを変更する。
【００５７】
上記実施例は、一つのサブキャリア資源ブロックを例として説明したものであるが、以下は、全体的な説明をする。
【００５８】
下のテーブルに示すように、基地局側は、受信したＨＩＩメッセージ毎に次の情報を記録する。
【００５９】
ＨＩＩメッセージの送信元（基地局情報）：ＩＯＴ測定値が所定値より大きくなる場合、該ＨＩＩメッセージの送信元にＯＩメッセージを送信することは目的である。
【００６０】
ＨＩＩメッセージに係る資源ブロック。
【００６１】
完全なテーブルは、下記のとおりである。
【表１】
0005581148.tif 000002
【００６２】
ＲＢ１を例として説明する。ＲＢ１が上り方向において受けたＩＯＴ値が第１の所定閾値より大きいと測定すると、該記録テーブルを検索し、ＲＢ１がある列の中「１」の数を判断する。０であれば、すべての隣接セルにＯＩメッセージを送信する。ＲＢ１がある列の中「１」の数が０より大きければ、１の数が３より大きいか否かを判断する。大きいと判断した場合、直接にＲＢ１を遮断する。逆の場合、ＲＢ１がある列の中「１」に対応する隣接セルにＯＩメッセージを送信する。
【００６３】
例えばＲＢ２には隣接セルからの四つのＨＩＩメッセージを受信する場合、３（所定のＨＩＩ数閾値）より大きいため、隣接セルにＯＩメッセージの送信をしない。そのうえ、隣接セルへの干渉を減らすために、該セルの該サブキャリアを空き状態とする。ＲＢ  Ｎにはセル１とセルＭからのＨＩＩメッセージを受信するために、セル１とセルＭにＯＩメッセージのみを送信する。
【００６４】
本発明の実施例において、ＯＩとＨＩＩの二種類のシグナリングを協調して利用したため、Ｘ２インタフェース上に実際に必要されるオーバーヘッドが低減され、セル協調制御の正確性も向上されて、システム性能が向上された。
【００６５】
以下、シミュレーションを通して、本発明の実施例による効果を説明する。
【００６６】
システムレベルのシミュレーションパラメータは、下記のとおりである。
【００６７】
ネットワーク構造：１９個の基地局、５７個のセクタ
基地局間距離：５００メートル
物理資源ブロックの数／セクタ：５０
スケジューリングサブバンド：５個の資源ブロック
ユーザ設備の数／セクタ：１０
サブキャリア周波数：２ＧＨｚ
パスロスモデル：１２８．１＋３７．６×ｌｏｇ１０（ｋｍ）
システム帯域幅：１０ＭＨｚＦＤＤ
ユーザ設備最大送信電力：２５０ｍＷ
固定目標ＳＩＮＲ：１０ｄＢ
ＨＩＩ数閾値：３
ＩＯＴ閾値：１０ｄＢ
Ｔｒａｆｆｉｃモデル：Ｆｕｌｌ  Ｂｕｆｆｅｒ
Ｘ２インタフェースオーバーヘッド：ＯＩの場合、２ｂｉｔ／資源ブロック、ＨＩＩの場合、１ｂｉｔ／資源ブロック
次のテーブルは、セル間干渉協調処理が行なわれない方法、ＯＩメッセージに基づく干渉制御方法、本発明実施例による方法におけるセル平均スループットとセルエッジ平均スループットのシミュレーションデータを比較したテーブルである。次のテーブルからわかるように、セル平均スループットとセルエッジ平均スループットについて、セル間干渉協調処理が行なわれない方法に比較して本発明の実施例による方法では、それぞれ１０．５％と１７．２％のゲインを提供可能であり、ＯＩメッセージに基づく干渉制御方法で提供可能なスループットゲインよりも高くなっている。
【表２】
0005581148.tif 000003
【００６８】
図４は、ＯＩメッセージに基づく干渉制御方法、本発明実施例の方法による、Ｘ２インタフェース上におけるオーバーヘッドのシミュレーション結果を示す図面である。図面からわかるように、本発明実施例の方法による、Ｘ２インタフェース上におけるオーバーヘッドは、ＯＩメッセージに基づく干渉制御方法による、Ｘ２インタフェース上におけるオーバーヘッドの５０％にもなっていない。
【００６９】
以上は、本発明の好ましい実施方式に過ぎない。なお、当該分野の一般技術者にとって、本発明の原理を背離しない前提で、若干の改進や修飾が考えられる。ただし、これらの改進や修飾も本発明の保護範囲にあることが理解されよう。
【図１】
0005581148.tif 000004
【図２】
0005581148.tif 000005
【図３】
0005581148.tif 000006
【図４】
0005581148.tif 000007